(57)【要約】  本発明は、組合された軽量材料及び特定の構築原理を使用した、指板、ネック、テールピース、上方及び下方のブロック、魂柱又はサウンドペグ、バスバー又はサウンドバー並びに上方及び下方のサドルロッドの剛性比／たわみ性比、振動／共鳴伝達性及び軽量化の修正を通した、弦楽器の音質の改善を意図した修正に関する。【選択図】  図１０
2014504742.tif 000002
【特許請求の範囲】
【請求項１】
バイオリン又はギターなどの弦楽器用の部材（２、３）であって、コア（３０）材料を備えた、又は中空プロファイル（３１）を備えたサンドイッチ構築物に作られる、上記部材。
【請求項２】
請求項１に記載の部材であって、該材料が合成、非有機又は有機起源の発泡体又は中空構造物で作られる、上記部材。
【請求項３】
請求項１又は２に記載の部材であって、該材料が、
−）ＰＶＣ、ポリエステル、ポリプロピレン、アクリルポリウレタン、及び他のポリマー、ナイロン
−）ガラス、石及び鉱物
−）チタン、アルミニウム及び全ての金属合金を含む全ての金属
−）骨構造物のような動物部材
−）軽木材、堅木、ペルナンブコ材、凝結木材、焼結木材、ガラス化木材、又はフリット化木材、及び剛性比／たわみ性比／質量比に関して特定の特性を有する他の木材のような植物部材
−）果物などで見いだされる特定の植物構造物
−）焼結及び／又はガラス化及び／又はフリット化ポリマー
−）焼結及び／又はガラス化及び／又はフリット化金属
−）焼結及び／又はガラス化及び／又はフリット化したガラス、石及び鉱物
−）合成、金属、鉱物又は有機起源の種々の材料で製造された、又は既に自然界に存在するハニカム構造物及び他の中空空間形態
のリストに含まれる、上記部材。
【請求項４】
請求項１〜３のいずれか１項に記載の部材であって、該材料が以下のリストに含まれる材料：
−）チタン、アルミニウム及び全ての金属合金を含む金属
−）有機又は非有機起源の適合樹脂又は膠と共通して、又は共通しないで使用される有機又は非有機繊維
−）ポリアミド
−）メタアミド
−）パラアミド
−）オルトアミド
−）ナイロン
−）強化ナイロン
−）ポリアミド
−）強化ポリアミド
−）ポリウレタン
−）ポリエステル
−）ポリ−パラフェニレン−テレフタルアミド（ケブラー）
−）上記繊維の組合せ
によって強化される、上記部材。
【請求項５】
請求項１〜４のいずれか１項に記載の部材であって、強化が、
−）金属糸、又は
−）金属ワイヤ、又は
−）金属繊維紡績糸、又は
−）編まれた、撚られた又は紡がれた、繊維又はフィラメント
の形状を有する、上記部材。
【請求項６】
請求項１に記載の部材であって、前記中空プロファイルが、合成、金属、鉱物又は有機起源の材料で作られる、上記部材。
【請求項７】
請求項６に記載の部材であって、材料が、
−）ＰＶＣ、ポリウレタン、及び他のポリマー、ナイロン
−）ガラス、石及び鉱物セラミックス、磁器
−）チタン、アルミニウム、及び全ての金属合金を含む金属
−）骨構造物のような動物部材
−）軽木材、堅木、ペルナンブコ材、凝結木材、及び剛性比／たわみ性比／質量比に関して特定の特性を有する他の木材
−）果物などで見いだされる特定の植物構造物
−）有機、非有機繊維
のリストに含まれる、上記部材。
【請求項８】
請求項４又は７に記載の部材であって、上記の有機又は非有機の繊維が、
−）適合樹脂又は膠と共通して使用されるホウ素繊維
−）適合樹脂又は膠と共通して使用されるアラミド繊維
−）適合樹脂又は膠と共通して使用されるケブラー繊維
−）適合樹脂又は膠と共通して使用される炭素繊維
−）適合樹脂又は膠と共通して使用されるセラミック繊維
−）適合樹脂又は膠と共通して使用されるガラス繊維
−）適合樹脂又は膠と共通して使用される玄武岩繊維
−）適合樹脂又は膠と共通して使用される植物起源の天然繊維
−）葉、木材、果物、竹化粧張り、樹皮のような植物の部材
−）絹、くものウェブなどのような動物起源の天然繊維
−）骨、皮膚、くも、幼虫、ガット、象牙、シェル部材などのような動物起源の部材
−）鉱物起源の構造物
他の繊維：
リネン、麻、サイザル麻、ジュート、亜麻、竹、トウモロコシ、茎、エスパルト、パピルス、ヨシ（ヨシわら草）、ケナフ、ラミー（ramine）、ローゼル（rosella）、甘蔗糖繊維、ビンロウジ繊維、籾殻、小麦、大麦、オート麦、ライ麦、アブラヤシ空の果房、コイア、ホテイアオイ、チドメグサ属などの丸い葉の草、カポック、紙、クワ、ラフィア、バナナ繊維、パインナップル葉繊維、エレファントグラス、綿リント、エニシダ、イラクサ、ヘネケン、パルフ（palf）、穀類藁、マニラ麻、種々の源からのビスコース及びそれらの混合物、
を含む、上記部材。
【請求項９】
請求項１〜８のいずれか１項に記載の部材であって、強化材として使用される前記材料で作られる表面コーティングを含む、上記部材。
【請求項１０】
請求項１〜９のいずれか１項に記載の部材であって、それがバイオリン類の楽器において使用される、上記部材。
【請求項１１】
請求項１〜９のいずれか１項に記載の部材であって、それがギター類の楽器において使用される、上記部材。
【請求項１２】
請求項１〜９のいずれか１項に記載の部材であって、指板（３）若しくはネック（２）若しくはネックヒール（２３）、又はテールピース（５）、又は上方サドル（１０）、又は上方ブロック（１１）若しくは下方ブロック（１１’）、又はバスバー若しくはサウンドバー（２５）、又は魂柱（１６）若しくはサウンドペグ若しくは非対称下方ペグ（７）若しくはテールピース（５）若しくはテールガット（６）である、上記部材。
【請求項１３】
請求項１〜１２のいずれか１項に記載の少なくとも一つの部材を含んでなる弦楽器。
【請求項１４】
請求項１３に記載の弦楽器であって、該楽器がバイオリン類の楽器である、上記弦楽器。
【請求項１５】
請求項１３１２に記載の弦楽器であって、該楽器がギター類の楽器である、上記弦楽器。
【発明の詳細な説明】
【技術分野】
【０００１】
本出願は、２０１０年１２月２８日に出願された、より前の出願ＥＰ１０１９７１８２．８の優先権を主張し、その全文が本出願に参照することにより取り込まれている。
【０００２】
本発明は、組合された軽量材料及び特定の構築原理（construction principles）を使用した、指板、ネック、ネックヒール、糸蔵、スクロール、上方及び下方のサドル、上方及び下方のブロック、テールピース、テールピースガット、下方ペグ、サウンドポスト又はサウンドペグ、バスバー又はサウンドバーの剛性比／たわみ性比、振動／共鳴伝達性及び軽量化の修正を通した、弦楽器の音質の改善を意図した修正に関する。
【０００３】
より具体的に、本発明は、弓で弾かれる（バイオリン類及びビオラ・ダ・ガンバ類）又は爪弾かれる（ギター及びリュート類）かのどちらかの弦楽器、及び中国由来の古箏類、又はインドのサーランギ、エスラジ、及び（und）ディルルバ類の楽器の音響特性の改善に関する。
【０００４】
これらの発明の各々は自立製品として単独で使用できるが、またここに掲げられた他の発明と組み合わすことができる。
【０００５】
楽器の音は、もし、以下のようであれば、改善するであろう：
１．弦の振動が、弦に対して強い保持位置によって得られた純粋で高密度の質のものである（指板／上方サドル、ネック、上方及び下方ブロックの剛性比／たわみ性比）。
２．弦の振動が、駒によって直接的にのみならず、上方サドル、フィンガーボード、ネック、及び上方ブロック、並びにテールピース、テールガット、下方サドル、下方糸巻き及び下方ブロックを通しても、楽器の共鳴ボディによく伝達される。
３．弦の振動が、これらの楽器部分の低い比重によって少なく減衰される。
【０００６】
これらの修正は、伝統的な弦楽器の製造分野において今日では稀にしか又は全く使用されない新しい材料を使用することによってなされる。これらの新しい材料又は材料の組み合わせを適用する技術は、航空機、ボート、配管その他の物の構築のような他の全く異なる領域において公知であるが、以下に述べられるように楽器の部品に対してはこのような方法で以前に全く使用されてこなかった。
【背景技術】
【０００７】
音響的又は電気的な弦楽器の基本構築部品は以下の通りである：（バイオリンに対しては図１（ａ）において、ギターに対しては図１（ｂ）において説明される通り）：
１）弦（図３及び４）
２）ネック
３）指板
４）糸巻き
５）テールピース
６）テールガット
７）糸巻き、下方
８）駒
９）ボディ（図３及び４）
１０）サドル、上方
１１）ブロック、上方及び下方
１２）
１３）サドル、下方
１４）コーナーブロック
１５）リブ
１６）サウンドポスト
１７）コーナー
１８）ライニング
１９）共鳴台（table）
２０）糸蔵
２１）糸巻き穴
２２）スクロール
２３）ネックヒール
２４）楽器のバック
【０００８】
弦１
弦１は、爪弾かれるか又は弓で弾かれて、音響的に又は電気的に増幅されて、弦楽器の振動を発生しているエレメントである。それらは、ネックに取り付けられる又はその一体部分である指板３と平行に走る。
【０００９】
弦は伝統的に動物の腸（ガット）又はガットコア上に巻き付けられた金属で作られる：今日、我々はこれらの弦をガット弦と呼ぶ。現代の弦は、種々の金属、又は合金で巻かれた、ガット、合成又は金属製のコアガットの何れかを有する。これらの弦は、振動の減衰を制御するために、幾つかの層に捲きつけられ得て、そして特別なより柔らかい材料層を含有し得る。
【００１０】
ネック２
爪弾かれるか又は弓で弾かれるとき、弦の張力を支えるために、そして効率的な弦の振動を可能にするために、弦楽器はそれらの弦に対して強い保持位置を必要とする：
【００１１】
この張力の多くはネック２によって支えられる。ネックは：ネック２、ネックヒール２３、糸蔵２０、及びスクロール２２を含む（スクロールは、バイオリン類、ビオラ及びダ・ガンバ類におけるネックの一部に過ぎない）。
【００１２】
全ての弦楽器は、できるだけ小さいネック２を必要とする：楽器を演奏することによって生み出される弦の張力又は他の張力を通して歪み易い。ネック２が、弦１によって発生される振動の一部を楽器の共鳴ボディに伝達する故に、ある程度のたわみ性が要求される。従って、このネック２の構成（architecture）、その構築（construction）に対して使用される材料、及び共鳴ボディへのその組立特性は、楽器の包括的な共鳴効率のために必須である。
【００１３】
伝統的なネック２は、弦の張力に抗するために、木材、通常、堅木で作られる。ネックの強度を増すために、ギター類における楽器の構築に対して殆ど、より最近において使用されてきた他の材料は、ガラス繊維、合板、強化プラスチック及び炭素繊維である。これらの材料は、楽器がこれらの材料を使用することによって多少全体的に構築される場合、バイオリン類の楽器のネック２の構築においても見られ得る。
【００１４】
ネックヒール２３の反対側での糸蔵２１は、ネック２と同じ材料で作られる。それは糸巻き４に対して必須の余地（room）を供する。幾つかの弦楽器は、糸蔵２０の端部で装飾エレメントを纏っている。装飾の例は：
−）動物又は人間の頭の彫刻された表示
−）らせん渦巻き２２である。
【００１５】
爪弾かれる楽器のネックは、通常、弓で弾かれる楽器のそれらとは異なる方法で構築される：
爪弾かれる楽器：
ネック２及びネックヒール２３は、しばしば、一緒に接着される二つの木材部分で作られる。
ネック２は、弓で弾かれる楽器のネックと比べて比例的に長い。
ネック２はまた、少なくとも６つの弦に対するスペースを可能にするために十分に幅広い。
そのより大きな寸法故に、爪弾かれる楽器のネック２は、通常、弓で弾かれる楽器のそれらよりもより重い。
弓で弾かれる楽器：
ネック２及びネックヒール２３は、通常、木材の一体もので作られる。
ネック２は爪弾かれる楽器のネックに比べて比例的に短い。
バイオリン類の楽器のネック２は比較的狭く、４つの弦に対するスペースを可能にするのに必要なだけである（チェロ及びダブルバスはある場合、５つの弦）
【００１６】
指板３
木製ネック２だけでは、演奏の快適さ（playing comfort）のせいでその寸法が限定される故に、大きな歪無しで弦１の張力を支えるには十分強くない。強度を増すことに対しては、それは指板３との積層に頼っている；特に、弓で弾かれる楽器について。
【００１７】
黒檀又はその他の堅木は、これらの木材の硬さ、美しさ、触感及び優れた耐摩耗性故に、現代の指板３のための好ましい材料と考えられる。爪弾かれる弦楽器の殆どは化粧張り（veneer）（この文脈における化粧張りは厚みが約１〜１０ミリメータの無垢材である）又は指板３としての黒檀又は堅木の硬い部品を保っている；これらの指板３は通常、フレット（fret）バンドと呼ばれる挿入物を有する。
【００１８】
糸巻き４
ネックエンドで、弦は、上方サドル１０に亘って糸蔵２０内に乗り、そこで、それらは張力を供するために、糸巻き４の回りに捲きつけられる。今日、弦１は通常、識別のため及び糸巻き４内に挿入される時、摩擦を供するために、両端で着色されたラッピングを有する。糸巻き軸は標準のテーパに削られ、そしてそれらの対応する糸蔵ホール２１は同じテーパに穴を広げられ、糸巻き４の軸に沿って、それを回しながら適切な圧力をかける演奏者によって摩擦を増減させることを可能にする。糸巻き４は殆ど木材で作られ又は種々の金属における機械チューナーがダブルバス及び爪弾かれる楽器の主要部分上で見られるであろう。
【００１９】
テールピース５
弦の反対側の端部はテールピース５（弓で弾かれる楽器）に固定され、それ自身はテールガット６及び下方ペグ７’によってボディにゆるく取り付けられる。爪弾かれる楽器上で、テールピース５は駒の部分であり、そして楽器の共鳴台１９上に接着される。
【００２０】
テールピース５は木材、金属又はプラスチクで作られ得る。それは弦１の張力を支えるために十分強くなければならない。
【００２１】
テールガット６
テールガット６はテールピース５を下方ペグに取り付け、そして弦の振動をテールピース、下方サドル及び下方ペグを介して楽器の共鳴ボディに伝達する。
【００２２】
下方ペグ７
下方ペグ７は楽器のボディ内に直接挿入される唯一の糸巻きである（下方ペグはバイオリン類の単なる一部である）。その振動／共鳴伝達品質は重要である。下方ペグは円錐形又は円筒タッパー状に成形され、そして下方ブロック内に伸びる。
【００２３】
駒８
駒８は弦の振動長さの下方アンカー点を形成し、そして弦の振動を楽器の共鳴台１９に直接伝達する。この駒の上方部分は、指板３から適切な距離で弦を保持する。弦の角度分布、及び機械的音響フィルタの役割を果たす駒８の可撓性は、弓で奏でられる楽器の音に対して顕著な効果を有する。これらは、駒８を弦の張力によってしかるべき場所のみに保持させ、一方、爪弾かれる楽器は、それらの駒８を楽器の共鳴台１９上に接着させ、そしてテールピース５はこの場合駒８の部分である。
【００２４】
ボディ９
三次元の楽器ボディ９は、響板１９、背部２４、及びリブ構造１５からなる。その構成は、効率的な共鳴能力を可能にするために精巧に作り上げられる。電気的又は半電気的な楽器の場合、弦の振動は、電磁気的センサ又はマイクロフォンによって全体的に又は部分的に向上される。ボディ９は、完全に、木材、金属、プラスチック及び炭素繊維で、又はある場合、これらの材料と獣皮又は他の膜でできた頂部の組合せを用いることによって作られ得る。
【００２５】
ボディ内部で、コーナーブロック１４、上方及び下方のブロック１１、１１’、及びライニング１８などの異なる支持エレメントが挿入される。これらは伝統的に、ボディの主要部分と同じ材料で作られるが、ブナ、柳及びポプラもしばしば使用される。サウンドバー（バスバー２５）又はサウンドペグ（サウンドポスト１６）などの構造エレメントは、弦の張力に対する抵抗、並びに弦楽器の共鳴能力を向上させるために、このボディ内部に嵌め込まれる。これらの内部付属品は大部分がトウヒ材でつくられる。
【００２６】
上部サドル１０、下部サドル１３
指板３の糸蔵２０端で分離された片として伝統的に固定されて、上部サドル１０は、駒８に向かってそれらが導くとき、弦を位置付けるための溝を含み、そしてその上方部分は、指板３から適切な、但し少ない距離で弦１を保持する。上部サドル１０は指板３及びネック２との直接的な接触を有し、そしてその弦振動伝達能力は重要なものである。弓で弾かれる楽器上に、下部サドル１３はテールピースガット６を位置付けるための溝を掘り、そしてそれは楽器の共鳴ボディに直接、接着され、そしてその弦振動伝達能力も重要なものである。その構築のために通常使用される材料は黒檀などの堅木、又は象牙である。
【００２７】
上方及び下方のブロック、コーナーブロック１１、１１’、１４
上方１１、下方１１’、及びコーナー１４のブロックは伝統的に木材で作られる：トウヒ材、柳及びポプラがしばしば使用される。今日、ネック２は、ネックヒール２３を上方ブロック１１内に挿入することによって共鳴ボディに取り付けられる。上方ブロック１１の形状、構築、寸法、密度及び位置は、指板３／ネック２構造の剛性比／たわみ性比に対して、 ひいては、特に、この発明の文脈において、弦楽器によって生み出される共鳴の質に対して不可欠である。弓で弾かれる楽器上に、下方ブロック１１’は、楽器の共鳴ボディの反対側上で弦の張力を支えており、そしてコーナーブロック１４は、リブコーナー１７を一緒に保持する役割にある。下方ブロック１１’も、下方ペグ７の共鳴伝達に関与する。
【００２８】
先行技術は以下の刊行物も含む：特許文献１〜６。
【先行技術文献】
【特許文献】
【００２９】
【特許文献１】ＦＲ２、８０７、８６２
【特許文献２】ＦＲ２、７６２、７０６
【特許文献３】ＵＳ４、８０９、５７９
【特許文献４】ＧＢ３９７、７６０
【特許文献５】ＴＷ３０５４１１Ｙ
【特許文献６】ＪＰ２００５３２６７０３
【発明の概要】
【発明が解決しようとする課題】
【００３０】
本発明の目的は、公知の楽器を改善することである。
【００３１】
より具体的には、本発明の目的は、弦楽器の音及び演奏性の顕著な改善をもたらす、該弦楽器ための新しいエレメントを供することである。
【００３２】
本発明は、以下の詳細な記述から及び図面からよりよく理解されるであろう：
【図面の簡単な説明】
【００３３】
【図１ａ】バイオリンなどの弦楽器を形成している異なる部品を図示する。
【図１ｂ】ギターなどの弦楽器を形成している異なる部品を図示する。
【図２】バイオリンに及ぼす共鳴効果を図示する（上図は弦が静止している状態、下図は動いている状態）：楽器において起こっている振動の振幅が強く誇張された絵である。
【図３】１８００年の前及び１８００年の後のバイオリンのネック及び指板を図示する。
【図４】１８００年の前及び１８００年の後のバイオリンのネック及び指板を図示する。
【図５】１８００年の前及び１８００年の後のバイオリンの指板のサイズを図示する。
【図６】１８００年の前及び１８００年の後のバイオリンの指板のサイズを図示する。
【図７】１８００年の前及び１８００年の後のバイオリンのネックのヒールを図示する。
【図８】１８００年の前及び１８００年の後のバイオリンのネックのヒールを図示する。
【図９】指板−ネック組合せ上の旋回領域を図示する。
【図１０】実施態様による指板の斜視断面図を図示する。
【図１１】別の実施態様による指板の斜視断面図を図示する。
【図１２】別の実施態様による指板の斜視断面図を図示する。
【図１３】別の実施態様による指板の斜視断面図を図示する。
【図１４】別の実施態様による指板の斜視断面図を図示する。
【図１５】指板−ネック構造の断面図を図示する。
【図１６】別の指板−ネック構造の断面図を図示する。
【図１７】一つの実施態様のネック構造の断面図（側面及び頂部）を図示する。
【図１８】別の実施態様のネック構造の断面図（側面及び頂部）を図示する。
【発明を実施するための形態】
【００３４】
爪弾かれる楽器及び弓で引かれる楽器は、振動している弦の長さを延ばすことによって、より過酷な楽譜を演奏するため、並びに弦楽器の音をより強くさせるために、楽器の演奏性を改善してきた変更を経てきた。同時に、これらの変更は楽器内で張力が分布される方法に、しばしば、好ましくないように影響を及ぼした。
【００３５】
例えば、バイオリン類（バイオリン、ビオラ、テナービオラ、チェロ及びダブルベース）の弓で弾かれる楽器は、以下の歴史的変更を経てきた：
【００３６】
ネック２に対する変更（図１（ａ）におけるようなバイオリンを示している図３及び４を参照）
バイオリン類の部分である楽器のネックは、元々（１６世紀の前半から１８世紀の末まで）現在のものより、より短かった。変えられた指板を可能にするために、そしてより高い位置におけるよりよい演奏性を達成するために、これらのネックは種々の方法で変えられた。これらの変更は１８世紀の変わり目(turn)（１８００年）に向けて起こった。
１）バイオリンの場合、ネック２は、上方サドル１０とバイオリンボディ９内へのネック挿入物の間で、その共鳴台の端部で測って約１３０ミリメータの新しい標準ネック長さを達成するために約６〜１０ミリメータ長くされた。今では、より長い弦の長さ、歴史的な約４１５Ｈｚから今日の４４０Ｈｚを超えるまでのピッチ（注Ａ）の上昇、より重たく、ひいてはより高い張力の弦１への弦の製造における革新は、結果的に実質的により高い張力のせいで、特に、楽器の共鳴ボディ９（爪弾かれる楽器においても）のネックヒール２３及び上方ブロック１１をよりゆがみ易くした。
２）弱いスポットであるネックのヒール２３は、より高い位置における楽器の演奏性を改善するために、ヒール２３がサイズ及び物体を小さくしなければならないとき、更に弱くなった。
３）ネック２の厚みも、演奏の快適さのために減少された。
４）最後に、指板の異なる形を可能にするために（現在は、その頂部から底部まで均一で平行なエッジ）、共鳴ボディ９内へのネックアングルの挿入が変えられた（図３及び４を比較）。ネックヒール２３は更に、新しい方法で挿入され、ネック２は、響板端の上方に約５ミリメータ（バイオリン）上げられた。これはネックヒール２３を更にそして実質的に弱くした  。
【００３７】
指板３に対する変更（図５及び６を参照）
歴史的指板３は、堅木の化粧張りの一つの薄いコーティングを適用することによって積層された軽量木材、殆どがポプラ、柳又はトウヒ材でできていた。この複合指板構造は指板の重量を低く保つために開発された。この指板３はまた、現代のものとは異なる形及び別の寸法を有していた（図３、４、５及び６を比較）。１８００年頃に指板に起こった主な変更は以下の通りであった：
１．ネック２の変更された長さのため、指板３はより長く作る必要があった。長さは今も、より高い音を生み出すことを可能するために、ボディ９に亘って、駒８のより近くへと更に伸びた。
２．指板の積層タイプを使用する代わりに、新しい指板３は、現在、堅木の一つの単一片で作られた；コクタン材が好まれた。指板３の剛性及び重量が増した。
３．その最も薄いセクションを上方サドル１０の近くに、そしてその最も厚いセクションをネックヒール２３の上方に備えた元々の楔型プロファイルの指板は、その頂部から底部まで均一で平行な端部を備えた指板３によって代替された。これは、歴史的な指板／ネック構造において見ることができる、より綿密なたわみ性と比べて、指板／ネック構造に対して、その縦分布においてより均一なたわみ性を生じた。
【００３８】
上方及び下方のブロック１１、１１’ に対する革新的な変更の欠如
上方ブロック１１はネックヒール２３を支え、そして弦によって生み出される振動を上方サドル／指板／ネック構造から楽器の共鳴ボディに伝達する。弦楽器の革新プロセス中に、上方ブロック１１の設計には実際的な変更は全く起こらなかった。共鳴ボディ９のデリケートに精巧に作り上げられたバランスを乱すことなく、上方ブロック１１を実質的に広げる十分な空間が楽器の内部には無い。過去において、木材に対する代替材料又は材料の組合せが全く入手できなかった。
【００３９】
下方ブロック１１’に対しても事実は同じである。現代の弦１によって生み出されるより強い張力は、そのアーキテクチャ又は材料的な概念における変更によって追求できなかった。過去において、代替材料又は材料の組合せが全く入手できなかった。
【００４０】
テールピース５及びテールガット６に対する革新的な変更の欠如
テールピース５及びテールガット６は、弦１によって引き起こされる張力に耐えるように設計されてきた。音の改善の可能性は二の次であった。軽くそして強いテールピース５が、振動をよりよく共鳴ボディ９に伝達することは周知である。テールピース５、テールガット６及び下方ペグ７が全てこのプロセスに関与しているという事実は無視されてきた。
【００４１】
下方ペグ７に対する革新的な変更の欠如
振動を伝達するための下方ペグ７の重要な役割は、弓で弾かれる楽器の開発において見ることができない。この機能は、既存の下方ペグ７よりもよい調節の可能性を通しても改善できる。
【００４２】
弓で弾かれる楽器に対する指板３及びネック２の構築における革新故の好ましくない変更の要約：
１）指板３の構築のために使用されるより多くのより重たい材料故の、楽器のより大きな重量
２）より高い弦の張力及びその帰結に比べて、指板／ネックの組合せの減少された剛性。現在は伸ばされそしてより薄くなったネック２、減らされたネックヒール２３及びその変えられた位置によって、指板／ネック構造は、より高い張力の弦によって生み出される歪を受け易くなる。
３）一体物の堅木製指板３故に減少された振動／共鳴伝達能力。
４）ネックヒール２３の領域における減少された剛性。歴史的指板／ネックの組合せと比較して、現代の指板／ネック構造はネック２のヒール２３に向かってより弱く、そして糸蔵２０に向かってより強い。歴史的指板／ネックは、歴史的指板３の形故に、糸蔵２０に向かってより柔軟で、そしてネックヒール２３に向かってより剛直であった。ネックヒール２３は更に、そのより大きな寸法故に、もっと剛直であった。
【００４３】
弓で弾かれる器に対するテールピース５、テールガット６及び下方ペグ７の構築における革新故に好ましくない変更の要約：
テールピース５、テールガット６及び下方ペグ７の三つ組は、弦の革新によって生み出されたより高いそしてより厳しい張力に耐えるためにのみ開発されてきた。改善された構築アーキテクチャ及び新しい材料の使用によって、それらの振動／共鳴伝達性を改善する可能性は無視された。
【００４４】
本発明の目的
この特許は、歴史的な弦楽器の開発中に起こった欠陥を正すために以下の発明を主張する：
【００４５】
本発明の第一の目的は、全ての三次元において、最適化されたそして適応可能な振動／共鳴伝達品質を備えた指板*を供することである：
指板／ネックの組合せの振動／共鳴伝達品質、及び楽器ボディへのその組立特性は、指板／ネックによって楽器の共鳴ボディに伝達される振動／共鳴の質、密度及び長寿命（long-life）に対して必須である。
【００４６】
バイオリン類楽器の指板は、爪弾かれる楽器のそれらよりも実質的により大きいので、弓で弾かれる楽器の指板に対する修正は、それらの音を満足できるように改善するために必須である。
【００４７】
Ａ）その縦分布において最適化されたそして適応可能な振動／共鳴伝達品質を備えた指板３
実験によって、ネック２にしっかりと取り付けられる指板３の下方部分が、指板３の自立部分とは別の振動／共鳴伝達品質を有することが示された（バイオリン類楽器）。指板３の取り付けられた部分及び自立（freestanding）部分は、指板／ネック構造を通して楽器の共鳴ボディに効率的な振動／共鳴伝達を可能にするために、それらの振動／共鳴伝達品質を、それらの縦分布において最適化させそして調和させる必要がある。指板３の振動／共鳴伝達品質は、各弦上に生み出すことができる個々の弦の張力及び振動周波数に従って、その縦分布において適応されることも必要である。実験によって、通常使用される一体物の堅木製指板がこの点に関して最適状態から遠くかけ離れていることが示された。
【００４８】
Ｂ）その横分布において最適化された振動／共鳴伝達品質を有する指板３
実験によって、共鳴周波数及び弦の張力に依存して、ある材料が指板３の構築に対して使用される他の物よりも良いことが示された。楽器は、指板３の一つの側の低い振動周波数の弦から出発して、それらの振動周波数に関して徐々に高くなる中間の弦を通して、この指板３の反対側の最高の振動周波数の弦まで、それらの弦分布順序を組み立てるので、指板３の要求される横方向共鳴伝達品質はこれらの周波数に適応される必要がある。最もゆったりと振動している弦の弦張力は最低であり；最も速く振動している弦の張力は最高である。中間の弦の張力は、それらの振動周波数が上がるにつれて次第により高くなる。指板３の共鳴伝達品質は、個々の弦の張力に従ってその横分布において適応される必要がある。実験によって、通常使用される一体物の堅木製指板３がこの点に関して最適状態から遠くかけ離れていること示された。
【００４９】
Ｃ）その高度分布において最適化された振動／共鳴伝達品質を有する指板３
実験によって、ネックにしっかりと取り付けられる指板３の下方部分が、指板３の自立部分とは別の振動／共鳴伝達品質を有することが示された（バイオリン類の楽器）。指板３の取り付けられたそして自立型の部分は、指板／ネック構造を通して、楽器の共鳴ボディに効率的な振動／共鳴伝達を可能にするために、それらの高度分布において最適化されそして調和されるそれらの振動／共鳴伝達品質を必要とする。実験によって、通常使用される一体物の堅木製指板がこの点に関して最適状態から遠くかけ離れていること示された。
【００５０】
実験によって更に、共鳴周波数及び弦の張力に依存して、ある材料が指板の構築に対して使用される他の物よりも良いことが示された。楽器は、指板３の一つの側の低い振動周波数の弦から出発して、それらの振動周波数に関して徐々に高くなる中間の弦を通して、この指板３の反対側の最高の振動周波数の弦まで、それらの弦分布順序を組み立てるので、指板３の要求される横方向共鳴伝達品質はこれらの周波数に適応される必要がある。最もゆったりと振動している弦の弦張力は最低であり；最も速く振動している弦の弦張力は最高である。中間の弦の張力は、それらの振動周波数が上がるにつれて次第により高くなる。指板３の振動／共鳴伝達品質は、個々の弦の張力によってその高度分布、及び各弦上に生み出すことができる振動周波数において適応される必要がある。実験によって、通常使用される一体物の堅木製指板３がこの点に関して最適状態から遠くかけ離れていること示された。
【００５１】
本発明の第二の目的は、全ての三次元において、最適化されたそして適応可能な剛性比／たわみ性比を備えた指板３*を供することである。
組合せ指板／ネックの剛性比／たわみ性比、及び楽器ボディへのその組立特性は、弦振動の質、密度及び寿命、ひいては生み出される音の品質に対して必須である。剛性比／たわみ性比／振動の比を最適化するために、それぞれの弦の異なる振動−周波数及び個別の弦張力が考慮されなければならない。
【００５２】
Ａ）その縦分布において最適化されたそして適応可能な剛性比／たわみ性比を備えた指板３
実験によって、ネックにしっかりと取り付けられる指板３の下方部分が、指板３の自立部分とは異なる剛性比／たわみ性比を有することが示された。指板３（バイオリン類）の取り付けられた及び自立している部分は、それらの剛性比／たわみ性比を、指板／ネック構造を通して楽器ボディに、ひいては指板３の全ての演奏位置において、最適化された共鳴伝達を可能にするために、調和させる必要がある。更に、ネックヒールから上方サドルに、指板／ネック構造において低下する剛性は、より低い周波数に好都合であろうし、そしてこれは、その草創期から１８世紀末に至る、バイオリン類の歴史的な楽器で見出され得る意図されたそして共通の特長であったものへの後戻りであり、ここで、この古い知識が、この新しい指板３の構築に対する完全に新しい材料及び技術を使用した、高度に複雑な楽譜を演奏するときの今日の要求に対して適応される。指板３の自立（バイオリン類）部分の剛性が増すことも、指が弦をこの指板３のより近くに感じるであろう故に、より高い位置における演奏をより快適にさせるであろう；所謂ビブラートの質は、これらのより高い位置においても向上されるであろう。実験によって、共鳴振動数及び個々の弦の張力に依存して、指板３の剛性は、弦の振動、ひいては楽器の音質を最適化するために、その縦分布において適応される必要があることが示された。通常使用される一体物の堅木製指板３はこの点に関して最適状態から遠くかけ離れている。
【００５３】
Ｂ）その横分布において最適化されたそして適応可能な剛性比／たわみ性比を備えた指板３
実験によって、共鳴周波数及び弦の張力に依存して、横方向に適応された剛性が要求されることが示された。楽器は、指板３の一つの側の低い振動周波数の弦から出発して、それらの振動周波数に関して徐々に高くなる中間の弦を通して、この指板３の反対側の最高の振動周波数の弦まで、それらの弦分布順序を組み立てるので、指板３の要求される横方向共鳴伝達品質はこれらの周波数に適応される必要がある。最もゆったりと振動している弦の弦張力は最低であり；最も速く振動している弦の弦張力は最高である。中間の弦の張力は、それらの振動周波数が上がるにつれて次第により高くなる。指板の剛性比／たわみ性比は、個々の弦の張力によってその横分布において適応される必要がある。通常使用される一体物の堅木製指板はこの点に関して最適状態から遠くかけ離れている。
【００５４】
Ｃ）その高度分布において最適化されたそして適応可能な剛性比／たわみ性比を備えた指板３
実験によって、ネックにしっかりと取り付けられる指板３の下方部分が、指板３の自立部分とは異なる剛性比／たわみ性比を有することが示された。指板３（バイオリン類）の取り付けられた部分及び自立部分は、指板／ネック構造を通して楽器の共鳴ボディに、ひいては指板上の全ての演奏位置において最適な共鳴伝達を可能にするために、それらの剛性比／たわみ性比を、それらの高度分布において調和させる必要がある。更に、ネックヒールから上方サドルに、指板／ネック構造において剛性が低下することは、より低い周波数に好都合であろうし、そしてこれは、その草創期から１８世紀末に至る、歴史的なバイオリン類の楽器において見出され得る意図されたそして共通の特長であったものへの後戻りであり、ここで、この古い知識が、この新しい指板の構築に対する完全に新しい材料及び技術を使用した、高度に複雑な楽譜を演奏するときの今日の要求に対して適応される。指板３の自立（バイオリン類）部分の剛性が増すことも、指が弦をこの指板３のより近くに感じるであろう故に、より高い位置における演奏をより快適にさせるであろう；所謂ビブラートの質は、これらのより高い位置においても向上されるであろう。実験によって、共鳴振動数及び個々の弦の張力に依存して、指板３の剛性比／たわみ性比は、弦の振動、ひいては楽器の音質を最適化するために、その高度分布において適応される必要があることが示された。通常使用される一体物の堅木製指板３はこの点に関して最適状態から遠くかけ離れている。
【００５５】
実験によって、共鳴周波数及び弦の張力に依存して、高さ方向に適応された剛性が要求されることが更に示された。楽器は、指板３の一つの側の低い振動周波数の弦から出発して、それらの振動周波数に関して徐々に高くなる中間の弦を通して、この指板３の反対側の最高の振動周波数の弦まで、それらの弦分布順序を組み立てるので、指板３の要求される横方向共鳴伝達品質はこれらの周波数に適応される必要がある。最もゆったりと振動している弦の弦張力は最低であり；最も速く振動している弦の弦張力は最高である。中間の弦の張力は、それらの振動周波数が上がるにつれて次第により高くなる。指板の剛性比／たわみ性比は、個々の弦の張力によってその高度分布において適応される必要がある。通常使用される一体物の堅木製指板３はこの点に関して最適状態から遠くかけ離れている。
【００５６】
本発明の第三の目的は、共鳴内に設定されることになる質量を低減するために軽量化された指板３*を供することである。
振動内に設定されることになる減じられた質量は、弦の振動の質、密度及び寿命に対して、並びに指板／ネック組合せの振動に対して、ひいては生み出される音の質に対して必須である。これは、その草創期から１８世紀末に至る、歴史的なバイオリン類の楽器に関する意図されたそして共通の特長であったものへの後戻りである；ここで、この古い知識は、この指板の構築に対する完全に新しい材料及び技術を使用した、高度に複雑な楽譜を演奏するときの今日の要求に対して適応される。実験によって、通常使用される一体物の堅木製指板３がこの点に関して最適状態から遠くかけ離れていること示された。
【００５７】
本発明の第四の目的は、最適化されたそして適応可能な表面コーティングを有する指板３*を供することである。
実験によって、堅木の表面は良好な指の触感を有するが、表面に対して使用される他の材料は、共鳴伝達、軽量化、剛性の適応、及びより良い汗の吸収、温度感覚などのような物理的演奏施設を最適化するであろうことが示された。通常使用される一体物の堅木製指板３はこの点に関して最適状態から遠くかけ離れている。
【００５８】
多くの爪弾かれる楽器の指板３構築は、弓で弾かれる楽器の指板と比べて４つの点で基本的に異なる：
１．フレットの挿入
２．平らな表面
３．指板３の主要部分がネック上に接着され、そして共鳴台が重なっているその部分は通常この共鳴台上に接着される。
４．より多い弦（例えばバイオリン類は４つの弦、ギターは６弦以上）故に幅がより広い。
【００５９】
本発明の第五の目的は、全ての三次元において、最適化されたそして適応可能な振動／共鳴伝達品質を有するネック２を供することである。
指板／ネックの組合せの振動／共鳴伝達品質、及び楽器ボディへのその組立特性は、指板／ネックによって楽器の共鳴ボディに伝達される振動／共鳴の質、及び密度に対して必須である。爪弾かれる楽器は、通常、バイオリン類の楽器よりも実質的により大きなネックを有するので、これらの爪弾かれる楽器のネックの修正は、それらの音を満足できるように改善するために必須であろう。
【００６０】
Ａ）その縦分布において最適化されたそして適応可能な振動／共鳴伝達品質を有するネック２
実験によって、ネック２は、指板／ネック構造を通して楽器の共鳴ボディに最適化された共鳴伝達を可能にするために、その共鳴伝達品質をその縦方向に調和される必要があることが示された。ネックの振動／共鳴伝達品質は、各弦上で生み出され得る個々の弦の張力及び振動周波数に従って、その縦分布においても適応されることが必要である。実験によって、通常使用される一体物の堅木製ネック２がこの点に関して最適状態から遠くかけ離れていること示された。
【００６１】
Ｂ）その横分布において最適化された振動／共鳴伝達品質を有するネック２
実験によって、共鳴周波数及び弦の張力に依存して、ネック２の構築に対して使用されるためにある材料が他の物よりも良いことが示された。楽器は、指板３の一つの側の低い振動周波数の弦から出発して、それらの振動周波数に関して徐々に高くなる中間の弦を通して、この指板３の反対側の最高の振動周波数の弦まで、それらの弦分布順序を組み立てるので、指板３の要求される横方向共鳴伝達品質はこれらの周波数に適応される必要がある。最もゆったりと振動している弦の弦張力は最低であり、最も速く振動している弦の弦張力は最高である。中間の弦の張力は、それらの振動周波数が上がるにつれて次第により高くなる。ネック２の共鳴伝達品質は、個々の弦の張力によってその横分布において適応される必要がある。実験によって、通常使用される一体物の堅木製ネック２がこの点に関して最適状態から遠くかけ離れていること示された。
【００６２】
Ｃ）その高度分布において最適化された振動／共鳴伝達品質を有するネック２
実験によって、ネック２は、指板／ネック構造を通して楽器のボディに、ひいては全ての演奏位置において最適化された共鳴伝達を可能にするために、その振動／共鳴伝達品質をその高さ方向に調和される必要があることが示された。実験によって、通常使用される一体物の堅木製ネック２がこの点に関して最適状態から遠くかけ離れていること示された。
【００６３】
実験によって、共鳴周波数及び弦の張力に依存して、ネック２の構築に対して使用されるためにある材料が他の物よりも良いことが示された。楽器は、指板３の一つの側の低い振動周波数の弦から出発して、それらの振動周波数に関して徐々に高くなる中間の弦を通して、この指板３の反対側の最高の振動周波数の弦まで、それらの弦分布順序を組み立てるので、指板３の要求される横方向共鳴伝達品質はこれらの周波数に適応される必要がある。最もゆったりと振動している弦の弦張力は最低であり、最も速く振動している弦の弦張力は最高である。中間の弦の張力は、それらの振動周波数が上がるにつれて次第により高くなる。ネック２の振動／共鳴伝達品質は、個々の弦の張力によってその高度分布において適応される必要がある。実験によって、通常使用される一体物の堅木製ネック２がこの点に関して最適状態から遠くかけ離れていること示された。
【００６４】
本発明の第六の目的は、全ての三次元において、最適化されたそして適応可能な剛性比／たわみ性比を備えたネック２を供することである。
指板／ネックの組合せの剛性比／たわみ性比及び楽器ボディへのその組立特性は、弦の振動の質、密度及び寿命、ひいては生み出される音の品質に対して必須である。剛性−たわみ性／振動比を最適化するために、個々の弦の異なる振動−周波数及び個別の弦の張力が考慮されなければならない。
【００６５】
Ａ）その縦分布において最適化されたそして適応可能な剛性比／たわみ性比を備えたネック２
実験によって、ネック２の縦剛性比／たわみ性比は、弦の振動の質、密度及び寿命に対して、ひいては生み出される音の質に対して必須であることが示された。剛性−たわみ性／共鳴比を最適化するために、個別の弦の張力及び個々の弦上に生み出され得る振動周波数が考慮されなければならない。ネック２の剛性比／たわみ性比は、これらの弦の振動を最適化するために、その縦分布において適応される必要がある。実験によって、通常使用される一体物の堅木製ネック２がこの点に関して最適状態から遠くかけ離れていること示された。
【００６６】
Ｂ）その横分布において最適化されたそして適応可能な剛性比／たわみ性比を備えたネック２
実験によって、各弦上に生み出され得る共鳴周波数及び個々の弦の張力に依存して、縦感覚において適応された剛性が要求されることが示された。楽器は、指板３の一つの側の低い振動周波数の弦から出発して、それらの振動周波数に関して徐々に高くなる中間の弦を通して、この指板３の反対側の最高の振動周波数の弦まで、それらの弦分布順序を組み立てるので、指板３の要求される横方向共鳴伝達品質はこれらの周波数に適応される必要がある。最もゆったりと振動している弦の弦張力は最低であり、最も速く振動している弦の弦張力は最高である。中間の弦の張力は、それらの振動周波数が上がるにつれて次第により高くなる。ネック２の剛性は、個々の弦の張力によってその横分布において適応される必要がある。通常使用される一体物の堅木製ネック２はこの点に関して最適状態から遠くかけ離れている。
【００６７】
Ｃ）その高度分布において最適化されたそして適応可能な剛性比／たわみ性比を備えたネック２
実験によって、ネック２の高さ方向剛性比／たわみ性比が、弦の振動質、密度及び寿命、ひいては生み出される共鳴の質に対して必須であることが示された。剛性比／たわみ性比／共鳴比を最適化するために、個々の弦の異なる共鳴−周波数及び個別の弦の張力が考慮されなければならない。ネック２の剛性比／たわみ性比は、これらの弦の振動を最適化するために、その高度分布において適応される必要がある。実験によって、通常使用される一体物の堅木製ネック２がこの点に関して最適状態から遠くかけ離れていること示された。
【００６８】
実験によって、共鳴周波数及び各弦の弦張力に依存して、高さ方向に適応された剛性が要求されることが更に示された。楽器は、指板３の一つの側の低い振動周波数の弦から出発して、それらの振動周波数に関して徐々に高くなる中間の弦を通して、この指板３の反対側の最高の振動周波数の弦まで、それらの弦分布順序を組み立てるので、指板３の要求される横方向共鳴伝達品質はこれらの周波数に適応される必要がある。最もゆったりと振動している弦の弦張力は最低であり；最も速く振動している弦の弦張力は最高である。中間の弦の張力は、それらの振動周波数が上がるにつれて次第により高くなる。ネック２の高所剛性は、個々の弦の張力によってその分布において適応される必要がある。通常使用される一体物の堅木製ネック２はこの点に関して最適状態から遠くかけ離れている。
【００６９】
本発明の第七の目的は、共鳴内に設定される質量を軽量化することになるために軽量化されたネック２を供することである。
振動内に設定されることになる減じられた質量は、弦の振動の質、密度及び寿命に対して、並びに指板／ネック組合せの振動に対して、ひいては生み出される音の質に対して必須である。実験によって、通常使用される堅木製ネック２はこの点に関して最適状態から遠くかけ離れていることが示された。爪弾かれる楽器のネック２は、バイオリン類の楽器のそれらよりも実質的により大きいので、爪弾かれる楽器のネックの軽量化の修正は、満足できる音の改善を得るために必須である。
【００７０】
本発明の第八の目的は、最適化されたそして適応可能な表面コーティングを備えたネック２を供することである。
実験によって、堅木の表面は良好な指の触感を有するが、表面に対して使用される他の材料は、共鳴伝達、軽量化、剛性の適応、及びより良い汗の吸収、温度感覚などのような物理的演奏施設を最適化するであろうことが示された。通常使用される堅木製ネック２はこの点に関して最適状態から遠くかけ離れている。
【００７１】
本発明の第九の目的は、三次元全てにおいて、最適化されたそして適応可能な剛性比／たわみ性比及び振動／共鳴伝達品質を有するネックヒール２３を供することである。
現代の、楽器ボディ（バイオリン類）とネックの組立故に、ネックヒール２３は今日、振動している指板／ネック構造の最も不適切な部分である。一般に、その振動／共鳴伝達品質、その剛性比／たわみ性比適応性及びその楽器の共鳴ボディ（上方ブロック１１）へのその組立特性に関して特別な注意を必要とする。
【００７２】
ネックヒール２３の振動／共鳴伝達性、その剛性比／たわみ性比及び重量分布は、それらの振動を最も効率よく楽器の共鳴ボディに伝達するために、全体的な指板／ネック構造に対して理想的に考えられるべきである。
【００７３】
同時に、上方サドルでの弦に対して強い保持位置を保証するために、それは適応された剛性比／たわみ性比を持つべきである。通常使用される一体物の堅木製ネック２はこの点に関して最適状態から遠くかけ離れている。
【００７４】
多くの爪弾かれる楽器のネック２構築は、弓で弾かれる楽器のネックと比べて３つの点で基本的に異なる：
−）それは６弦以上である故に、その幅においてより広い。
−）それは楽器の共鳴ボディと比べて比例的に長い。
−）ネック２及びネックヒール２３はしばしば、一緒に接着された二つの木材片で作られる。
【００７５】
本発明の第十の目的は、三次元全てにおいて、最適化されたそして適応可能な剛性比／たわみ性比及び振動／共鳴伝達品質を備えたテールピース５を供することである。（バイオリン類）
伝統的な弓で弾かれる楽器のテールピース５は、弦の張力に抵抗するために以下の材料で作られる：コクタン材及び他の堅木、炭素繊維、チタン及びアルミニウムのような金属、ポリマーなど。
上述の指板３に対するものと同様の構築原理が、効率的な作用するテールピース５の加工に対して使用され得るであろう。
【００７６】
本発明の第十一の目的は、それらの振動／共鳴伝達品質を最適化しそして適応させるために、異なる材料の組合せ及び構築原理によって作られたテールピースガット６を供することである。（バイオリン類）
テールピースガット６は、弦及びテールピース５の振動を、下方サドル１３及び下方ペグ７を介して、楽器の共鳴ボディに伝達する。
適応された樹脂又は接着剤を用いて一緒に保持された天然又は合成の繊維は、これらの振動を、現在使用されている材料よりも、より効率的に伝達するであろう。
【００７７】
本発明の第十二の目的は、それらの振動／共鳴伝達品質を最適化しそして適応させるために、異なる材料及び構築原理によって作られた上方サドル１０及び下方サドル１３を供することである。
上方サドル１０は、指板／ネック構造との直接の接触を有する。弦から指板／ネック構造に振動を伝達するその部分は重要である。上方サドルの振動／共鳴伝達品質を最適化するために、そして組合せ指板／ネックの剛性比／たわみ性比を最適化するために、指板／上方サドルは一体物又は一つの複合構造で作られ得る。下方サドル１３（バイオリン類）はテールピースガットの振動を伝達する。通常使用される一体物の堅木製ネック２はこの点に関して最適状態から遠くかけ離れている。
【００７８】
本発明の第十三の目的は、その重量、剛性比／たわみ性比及び振動／共鳴伝達品質を最適化しそして適応させるために、異なる材料によって作られた、より軽量で強度において強化された上方ブロック１１を供することである。
伝統的に木材で作られる上方ブロック１１は、伝統的な上方ブロックよりもより強くなければならず、そしてその設計は、弦の捩じり及び振動を（指板／ネック構造を通して）効率的に楽器のボディに分布するよう助けるべきである。それは上方サドルで、弦に強い保持位置を与えるようにも助けるべきである。通常使用される木材及び形はこの点に関して最適状態から遠くかけ離れている。
【００７９】
本発明の第十四の目的は、その重量、剛性及び共鳴伝達品質を最適化しそして適応させるために、異なる材料によって作られた、より軽量で強度において強化された下方ブロック１１’を供することである。
伝統的に木材で作られる下方ブロック１１’は、伝統的な下方ブロックよりもより強くなければならず、そしてその設計は、弦の捩じれ及び振動を（バイオリン類の楽器の場合、テールピース、テールピースガット及び下方ペグを通して）効率的に楽器のボディに分布するよう助けるべきである。それは上方サドルで、弦に強い保持位置を与えるようにも助けるべきである。通常使用される木材及び形はこの点に関して最適状態から遠くかけ離れている。
【００８０】
本発明の第十五の目的は、その重量、剛性及び振動／共鳴伝達品質を最適化しそして適応させるために、異なる材料によって作られた、より軽量で強度において強化されたバスバー又はサウンドバー２５を供することである。
伝統的にトウヒ材で作られるバスバー又はサウンドバー２５は、以下に述べられる材料及び構築原理の使用によって重量／剛性／共鳴伝達比を増大させることができる。
【００８１】
本発明の第十六の目的は、その重量、剛性及び振動／共鳴伝達品質を最適化しそして適応させるために、異なる材料で作られた、より軽量で強度において適応されたサウンドポスト１７又はサウンドペグを供することである。
伝統的にトウヒ材で作られるサウンドポスト１７又はサウンドペグは、以下に述べられる材料及び構築原理の使用によって、重量／剛性／振動／共鳴伝達比を増大させることができる。
【００８２】
本発明の第十七の目的は、その重量、剛性及び振動／共鳴伝達品質を最適化しそして適応させるために、異なる材料で作られた、より軽量で強度において適応された下方ペグ７を供することである。
伝統的に堅木又は象牙で作られる下方ペグ７は、以下に述べられる材料及び構築原理の使用によって、重量／剛性／振動／共鳴伝達比を増大させることができる。
【００８３】
新しく考えられたその非対称形によって、弦角度／重量分布に関して、駒８に亘る弦１の通路を調節することが助けることができる。これは、下方サドル１３に亘るテールガット６の通路の位置を変更する、非対称形下方ペグ７を調節することによって、そしてその結果としてのテールピース５の位置取りによって達成される。
非対称形下方ペグ７は、正確ではなく位置付けられた下方ブロック１１’中の下方ペグ７を正すためにも使用され得る。
【００８４】
新しい指板３を如何にして実現するか：
この特許出願の前の部分において述べられた通り、現代の標準指板３は種々の方法において改善できる。指板３の物理的特性を修正するために、これらの特性を楽器一般（例えば、バイオリン類：バイオリン、ビオラ、テナービオラ、チェロ、ダブルベース）の特定の振動周波数登録に対して適用するために、修理するために、欠陥音の発生（狼のトーンのような不快な音質）を個々に修正又は低減するために、演奏施設を適用するために、又は特別な要求を満足させるために、以下に掲げられた原型から、適応された構成及び材料の組合せが実現できる。
【００８５】
目的：指板３の剛性比／たわみ性比
本発明の実施態様において（図１０〜１４、バイオリン類の楽器に対する例を参照）
剛性、非有機又は有機起源の、発泡体又は中空構造物の材料で作られるコア３０を用いたサンドイッチ構築物における指板３。
それらの幾つかは：
・）ＰＶＣ、ポリエステル、ポリプロピレン、アクリルポリウレタン、及び他のポリマー、ナイロン
・）ガラス、石及び鉱物
・）チタン、アルミニウム及び全ての金属合金を含む全ての金属
・）骨構造物のような動物部材
・）軽木材、堅木、ペルナンブコ材、凝結木材、焼結木材、ガラス化木材、又はフリット化木材、及び剛性比／たわみ性比／質量比に関して特定の特性を有する他の木材のような植物部材
・）果物などで見いだされる特定の植物構造物
・）焼結及び／又はガラス化及び／又はフリット化ポリマー
・）焼結及び／又はガラス化及び／又はフリット化金属
・）焼結及び／又はガラス化及び／又はフリット化したガラス、石及び鉱物
・）合成、金属、鉱物又は有機起源の種々の材料における製造された、又は既に自然界に存在するハニカム構造物及び他の中空形形態
である。
【００８６】
これらの構造も指板３のコーティング材料内に直接、加工でき、そして指板３の一体部分になることができる（図１０を参照）。
指板３は、ここに掲げられた全ての材料で、又はそれらからの如何なる好適な組合せでも作ることができる。
【００８７】
これらのコア３０／３３の材料又は構造は、以下の剛性、非有機又は有機起源の材料によって強化できる３２（バイオリン類の楽器に対する例を参照：図１１、１２及び１５〜１６）：
・チタン、アルミニウム及び全ての金属合金を含む全ての金属
・全ての有機及び非有機繊維など
・適合樹脂又は膠と共通して使用されるホウ素繊維
・適合樹脂又は膠と共通して使用されるアラミド繊維
・適合樹脂又は膠と共通して使用されるケブラー繊維
・適合樹脂又は膠と共通して使用される炭素繊維
・適合樹脂又は膠と共通して使用されるセラミック繊維
・適合樹脂又は膠と共通して使用されるガラス繊維
・適合樹脂又は膠と共通して使用される玄武岩繊維
・適合樹脂又は膠と共通して使用される植物起源の天然繊維
・葉、木材、果物、竹化粧張り、樹皮のような植物の部材
・絹、くものウェブなどのような動物起源の天然繊維
・骨、皮膚、くも、幼虫、ガット、象牙、シェル部材などのような動物起源の部材
・鉱物起源の構造物
・強化構造に対して使用され得る他の繊維は：
リネン、麻、サイザル麻、ジュート、亜麻、竹、トウモロコシ、茎、エスパルト、パピルス、ヨシ（ヨシわら草）、ケナフ、ラミー（ramine）、ローゼル（rosella）、甘蔗糖繊維、ビンロウジ繊維、籾殻、小麦、大麦、オート麦、ライ麦、アブラヤシ空の果房、コイア、ホテイアオイ、チドメグサ属などの丸い葉の草、カポック、紙、クワ、ラフィア、バナナ繊維、パインナップル葉繊維、エレファントグラス、綿リント、エニシダ、イラクサ、へネケン、パルフ、穀類藁、マニラ麻、種々の源からのビスコース及びそれらの混合物である。
繊維は三次元の全ての方向に適用できる。
上述の樹脂又は接着剤は合成、ポリマー又は有機起源のものであってよい。
強化材料３２は殆ど、コア３０（サンドイッチ構築物）の見える側に部分的に又は全体的に適用されるであろう。それはまた、全ての三次元においてコア構造の一体化された部分でもあってよい。それはまた部分的に又は全体的に最終的なコーティング表面の部分であってよい。
【００８８】
コア及び／又は強化されたコアの剛性比／たわみ性比の特性は、その構築に対して使用される材料の穿孔又は厚みの適応によって変えられそして適応される。特別のコア３０及び／又はハニカムのようなサンドイッチ構成及びその他の中空構造、並びに特定の強化構成が、同じ目的を達成するために使用され得る。コア３０及び／又は強化されたコア３０＋３２の形状は指板３の形状とは異なり得る。
【００８９】
コア３０及び／又は強化されたコア３０＋３２はまた、既に完全な指板３でもってよい。指板３の製造のために、上述の全ての材料は単独で又はそれらの他の物との組み合わせにおいて使用できる。
指板３の構築の異なる構造は上方サドル１０を含むことができる。
【００９０】
目的：指板３の共鳴伝達品質
本発明の別の実施態様において：
中空プロファイル３１において、又は合成、金属、鉱物及び有機起源の材料によって作られる中空プロファイルコア３１を用いて構築される指板３（バイオリン類の楽器に対する例として図１３及び１４を参照）。
それらの幾つかは：
・ＰＶＣ、ポリウレタン、及び他のポリマー、ナイロン
・ガラス、石及び鉱物セラミックス、磁器
・チタン、アルミニウム、及び全ての金属合金を含む全ての金属
・骨構造物のような動物部材
・堅木、ペルナンブコ材、凝集化木材、及び剛性比／たわみ性比／質量比に関して特定の特性を有する他の木材
・果物などで見いだされる特定の植物構造物
・全ての有機及び非有機繊維など
・適合樹脂又は膠と共通して使用されるアラミド繊維
・適合樹脂又は膠と共通して使用されるケブラー繊維
・適合樹脂又は膠と共通して使用される炭素繊維
・適合樹脂又は膠と共通して使用されるセラミック繊維
・適合樹脂又は膠と共通して使用されるガラス繊維
・適合樹脂又は膠と共通して使用される玄武岩繊維
・適合樹脂又は膠と共通して使用される植物起源の天然繊維
・葉、木材、果物、竹化粧張り、樹皮のような植物の部材
・絹、くものウェブなどのような動物起源の天然繊維
・骨、皮膚、蜘蛛、幼虫、ガット、象牙質、シェル部材などの動物起源の部材
・鉱物起源の構造物
・中空プロファイル又はプロファイルのコア用に使用され得るその他の繊維としては：
リネン、麻、サイザル麻、ジュート、フラックス、竹、トウモロコシ、茎、エスパルト、パピルス、ヨシ（ヨシわら草）、ケナフ、ラミー、ローゼル、甘蔗糖繊維、ビンロウジ繊維、籾殻、小麦、大麦、オート麦、ライ麦、アブラヤシ空の果房、コイア、ホテイアオイ、チドメグサ属などの丸い葉の草、カポック、紙、クワ、ラフィア、バナナ繊維、パインナップル葉繊維、エレファントグラス、綿リント、エニシダ、イラクサ、ヘネケン、パルフ、穀類藁、マニラ麻、種々の源及びその混合物からのビスコースである。
繊維は、全ての三次元方向において適用され得る。
上述の樹脂又は接着剤は、天然、合成、非有機及び／又は有機起源のものであり得る。
【００９１】
中空プロファイル３１又は中空プロファイルコア３１の共鳴伝達性は、その構築に対して使用される材料の穿孔、分離又は厚みの適応によって変更そして適応できる。中空プロファイルコア３１の形状は指板３の形状と異なることができる。
中空プロファイルは、既に完全な指板３でもあってよい。
指板３の構築のために、上述の全ての材料は、単独で又はそれらの他のものと組み合わせて使用できる。
指板３の構築の異なる構造は上方サドル１０を含むことができる。
【００９２】
目的：指板３の軽量化
発明の別の実施態様において：
上述の物の中で、軽量材料及び構築構成を用いて構築された指板３
【００９３】
目的：全ての三次元における、指板３の適応された特性
縦方向、高さ方向及び横方向の特性
本発明の別の実施態様において：
全ての三次元において：
・その縦分布において
・その高度分布において
・その横分布において、又はそれらの全ての組合せ
その構築に対して、上述の材料及び構築原理の選択又は組合せを用いて、異なる、従属した及び／又は独立した構造で作られた指板。
開放空間、又はポリマー及び／又はシリコン及び／又はゴム及び／又は織物などのような弾性材料を備えた挿入物は、独立構造の間の望ましくない振動源を避けるために使用できる。
指板構築の異なる構造は上方サドル１０を含むことができる。
【００９４】
目的：指板３の表面コーティング
本発明の別の実施態様において：
上述の原型の一つ又は組合せを用いた指板３。それは合成物、金属、鉱物又は有機起源の材料によって化粧張りできる。
それらの幾つかは：
・ＰＶＣ、ポリウレタン、及び他のポリマー、ナイロン
・ガラス、石及び鉱物セラミックス、磁器
・チタン、アルミニウム、及び全ての金属合金を含む全ての金属
・骨構造物のような動物部材
・堅木、ペルナンブコ材、凝集化木材、及び剛性比／たわみ性比／質量比に関して特定の特性を有する他の木材
・果物などで見いだされる特定の植物構造物
・全ての有機及び非有機繊維など
・適合樹脂又は膠と共通して使用されるホウ素繊維
・適合樹脂又は膠と共通して使用されるアラミド繊維
・適合樹脂又は膠と共通して使用されるケブラー繊維
・適合樹脂又は膠と共通して使用される炭素繊維
・適合樹脂又は膠と共通して使用されるセラミック繊維
・適合樹脂又は膠と共通して使用されるガラス繊維
・適合樹脂又は膠と共通して使用される玄武岩繊維
・適合樹脂又は膠と共通して使用される植物起源の天然繊維
・葉、木材、果物、竹化粧張り、樹皮のような植物の部材
・絹、くものウェブなどのような動物起源の天然繊維
・骨、皮膚、蜘蛛、幼虫、ガット、象牙質、シェル部材などの動物起源の部材
・鉱物起源の構造物
・表面コーティングのために使用され得る他の繊維は：
リネン、麻、サイザル麻、ジュート、フラックス、竹、トウモロコシ、茎、エスパルト、パピルス、ヨシ（ヨシわら草）、ケナフ、ラミー、ローゼル、甘蔗糖繊維、ビンロウジ繊維、籾殻、小麦、大麦、オート麦、ライ麦、アブラヤシ空の果房、コイア、ホテイアオイ、チドメグサ属などの丸い葉の草、カポック、紙、クワ、ラフィア、バナナ繊維、パインナップル葉繊維、エレファントグラス、綿リント、エニシダ、イラクサ、ヘネケン、パルフ、穀類藁、マニラ麻、種々の源からのビスコース及びその混合物である。
繊維は三次元の全ての方向に適用され得る。
上述の樹脂又は接着剤は合成、ポリマー又は有機起源のものであり得る。
指板３は、部分的に又はネック２上の接着されることになる部分を含み全ての見える側上で化粧張りされ得る。
【００９５】
化粧張りはコア３０、強化されたコア３０＋３２又は中空プロファイル３１の見かけの表面と組み合わすことができる。
表面コーティングは、上述の材料で又はそれらの如何なる種類のアセンブリからもできた一つ又はそれ以上の中空片で構成できる。
【００９６】
特別に処理された材料も使用できて、それらは：
・色
・耐摩耗性及び耐汗性
・触感
・剛性比／たわみ性比
・共鳴伝達性
において修正される。
【００９７】
これらの修正は：
・演奏施設
・指板３の外観
・ネック２との接触
も関係できる。
【００９８】
指板３の化粧張りに対しては、上述の全ての材料は単独で又はそれらの他の物との組み合わせにおいて使用できる。
指板３構築の異なる構造は上方サドル１０を含むことができる。爪弾かれる楽器の指板３に対して、フレットはコア３０／強化コア３０＋３２又は中空プロファイル３１の部分であり得て、そして剛性比／たわみ性比の分布における通り、特別に振動／共鳴伝達に特別に関わる。
指板−化粧張り、及びコア３０／強化コア３０＋３２又は中空プロファイル３１の部分であるはっきりしたフレットは全ての配置において、断続的であり得る。
フレットは上述の全ての材料で作ることができる。
フレットはコーティング表面の部分であってもよい。
【００９９】
目的：指板３の振動／共鳴の伝達、及び形状／プロファイルを変えること
本発明の別の実施態様において：
その共鳴を制御する又は修正するために挿入された減衰材料を備えた指板３。これらの材料は木材、シリコン、ゴム、改質された織物、特別密度の気泡ＰＶＣ、ケブラー、マクロロン、ナイロンなどであってよい。
【０１００】
新しいネックを如何にして実現するか（図１７〜１８）
この特許の前の部分において述べられた通り、現代の標準ネック２は種々の方法で改善できる。ネックの物理的特性を修正するために、これらの特性を楽器一般（例えば、バイオリン類：バイオリン、ビオラ、テナービオラ、チェロ、ダブルベース）の特定の振動周波数音域（registers）に対して適用するために、修理するために、欠陥音の発生（狼のトーンのような不快な音質）を個々に修正又は低減するために、演奏施設を適用するために、又は特定の要求を満足させるために、以下に掲げられた原型から、適応されたアーキテクチャ及び材料の組合せが実現されなければならない。ネック２及び指板３が、下に述べるサンドイッチ又は中空のプロファイル原型の一つ又は組合せを用いて、一つの独特な又は異なる組合せの一つ又は複数のコーティング用途を有する、一つのピースで構築されることも可能である。
【０１０１】
目的：ネック２の剛性比／たわみ性比（図１７〜１８）
本発明の別の実施態様において：
合成物、金属、鉱物又は有機起源の、発泡体又は中空構造物の、材料で作られるコア３０／３３を備えたサンドイッチ構築物におけるネック２。
それらの幾つかは：
・ＰＶＣ、ポリウレタン、及び他のポリマー、ナイロン
・ガラス、石及び鉱物セラミックス、磁器
・チタン、アルミニウム、及び全ての金属合金を含む金属
・骨構造物のような動物部材
・軽木材、堅木、ペルナンブコ材、凝集化木材、及び剛性比／たわみ性比／質量比に関して特定の特性を有する他の木材
・果物などで見いだされる特定の植物構造物など
合成物、金属、鉱物又は有機起源の多様な材料において製造された又は自然界に既存のハニカム構造及び他の中空空間形態。
これらの構造もネックのコーティング材料内に直接、加工でき、そしてネックの一体部分になることができる。
ネックは、ここに掲げられた全ての材料で作ることができる。
【０１０２】
これらのコア３０／３３の材料又は構造は、強化コア３０／３３’を形成するために、以下の合成物、金属、鉱物又は有機起源の材料によって強化できる。
・チタン、アルミニウム、及び全ての金属合金を含む全ての金属
・全ての有機及び非有機繊維など
・適合樹脂又は膠と共通して使用されるホウ素繊維
・適合樹脂又は膠と共通して使用されるアラミド繊維
・適合樹脂又は膠と共通して使用されるケブラー繊維
・適合樹脂又は膠と共通して使用される炭素繊維
・適合樹脂又は膠と共通して使用されるセラミック繊維
・適合樹脂又は膠と共通して使用されるガラス繊維
・適合樹脂又は膠と共通して使用される玄武岩繊維
・適合樹脂又は膠と共通して使用される植物起源の天然繊維
・葉、木材、果物、竹化粧張り、樹皮のような植物の部材
・絹、くものウェブなどのような動物起源の天然繊維
・骨、皮膚、ガット、象牙質、シェル部材などの動物起源の部材
・鉱物起源の構造物
・芯３０／３３を補強するために使用され得る他の繊維は：
リネン、麻、サイザル麻、ジュート、フラックス、竹、トウモロコシ、茎、エスパルト、パピルス、ヨシ（ヨシわら草）、ケナフ、ラミー、ローゼル、甘蔗糖繊維、ビンロウジ繊維、籾殻、小麦、大麦、オート麦、ライ麦、アブラヤシ空の果房、コイア、ホテイアオイ、チドメグサ属などの丸い葉の草、カポック、紙、クワ、ラフィア、バナナ繊維、パインナップル葉繊維、エレファントグラス、綿リント、エニシダ、イラクサ、ヘネケン、パルフ、穀類藁、マニラ麻、種々の源からのビスコース及びその混合物である。
【０１０３】
繊維は三次元の全ての方向に適用できる。
上述の樹脂又は接着剤は合成、ポリマー又は有機起源のものであってよい。
【０１０４】
強化材料は殆ど、コア３０／３３（サンドイッチ構築物）の見える側に部分的に又は全体的に適用されるであろう。
それはまた部分的に又は全体的に最終的なコーティング表面の部分であってよい。コア３０／３３及び／又は強化されたコア３０／３３の剛性比／たわみ性比の特性は、その構築に対して使用される材料の穿孔又は厚みの適応によって変更そして適応できる。
【０１０５】
特別のコア及び／又はハニカムのようなサンドイッチ構成及びその他の中空構造、並びに特定の強化構成が、同じ目的を達成するために使用できる。コア３０／３３及び／又は強化されたコア３０／３２の形状はネック２の形状とは異なることができる。
【０１０６】
コア３０／３３及び／又は強化されたコア３０／３３は、既に完全なネック２でもあってよい。ネック２の製造のために、上述の全ての材料は単独で又はそれらの他の物との組み合わせにおいて使用できる。
【０１０７】
ネック２の構築の異なる構造は、指板３、上方サドル１０、糸蔵２０、スクロール２２（バイオリン類）、上方ブロック１１を含み得る。
【０１０８】
目的：ネック２の共鳴伝達
本発明の別の実施態様において：
中空プロファイルにおいて、又は合成、金属、鉱物及び有機起源の材料によって作られる中空プロファイルコアを用いて構築されるネック２（指板の例に類似して：図１３及び１４）。
それらの幾つかは：
・ＰＶＣ、ポリウレタン、及び他のポリマー、ナイロン
・ガラス、石及び鉱物セラミックス、磁器
・チタン、アルミニウム、及び全ての金属合金を含む全ての金属
・骨構造物のような動物部材
・堅木、ペルナンブコ材、凝集化木材、及び剛性比／たわみ性比／質量比に関して特定の特性を有する他の木材
・果物などで見いだされる特定の植物構造物
・全ての有機及び無機の繊維など
・適合樹脂又は膠と共通して使用されるホウ素繊維
・適合樹脂又は膠と共通して使用されるアラミド繊維
・適合樹脂又は膠と共通して使用されるケブラー繊維
・適合樹脂又は膠と共通して使用される炭素繊維
・適合樹脂又は膠と共通して使用されるセラミック繊維
・適合樹脂又は膠と共通して使用されるガラス繊維
・適合樹脂又は膠と共通して使用される玄武岩繊維
・適合樹脂又は膠と共通して使用される植物起源の天然繊維
・葉、木材、果物、竹化粧張り、樹皮のような植物の部材
・絹、くものウェブなどのような動物起源の天然繊維
・骨、皮膚、ガット、象牙質、シェル部材などの動物起源の部材
・鉱物起源の構造物
・ネック２中空プロファイルに対して使用され得る他の繊維は：
リネン、麻、サイザル麻、ジュート、フラックス、竹、トウモロコシ、茎、エスパルト、パピルス、ヨシ（ヨシわら草）、ケナフ、ラミー、ローゼル、甘蔗糖繊維、ビンロウジ繊維、籾殻、小麦、大麦、オート麦、ライ麦、アブラヤシ空の果房、コイア、ホテイアオイ、チドメグサ属などの丸い葉の草、カポック、紙、クワ、ラフィア、バナナ繊維、パインナップル葉繊維、エレファントグラス、綿リント、エニシダ、イラクサ、ヘネケン、パルフ、穀類藁、マニラ麻、種々の源からのビスコース及びその混合物である。
【０１０９】
繊維は全ての三次元の方向に適用できる。
上述の樹脂又は接着剤は合成、ポリマー又は有機起源のものであってよい。
コアの共鳴伝達性は、その構築に対して使用される材料の穿孔又は厚みの適応によって変更そして適応でき得る。
中空プロファイルの形状はネック２の形状とは異なり得る。中空プロファイルは既に完全なネック２でもあり得る。
【０１１０】
ネック２の製造のために、上述の全ての材料は単独で又はそれらの他の物との組み合わせにおいて使用できる。
ネック２の構築の異なる構造は、上方サドル１０、糸蔵２０及びスクロール２２（バイオリン類）、上方ブロック１１を含むことができる。
【０１１１】
目的：ネック２の重量
本発明の別の実施態様において：
上述のものの内で軽量材料及び構築構成を用いることによって構築されたネック２。
【０１１２】
目的：全ての三次元におけるネック２の適応された特性
縦、高さ及び横の特性
本発明の別の実施態様において：
全ての三次元において：
・その縦分布において
・その高度分布において
・その横分布において、又はそれらの全ての組合せ
その構築に対して、上述の材料及び構築原理の選択又は組合せを用いて、異なる、従属した及び／又は独立した構造で作られたネック２。
開放空間、又はポリマー及び／又はシリコン及び／又はゴム及び／又は織物などのような弾性材料を用いた挿入物は、独立構造の間の好ましくない振動源を避けるために使用できる。
指板構築の異なる構造は上方サドル１０を含むことができる。
【０１１３】
目的：ネック２の表面コーティング
本発明の別の実施態様において：
上述の原型の一つ又は組合せを用いたネック２。それは天然、合成物、金属、鉱物又は有機起源の材料によって化粧張りできる。
それらの幾つかは：
・ＰＶＣ、ポリウレタン、及び他のポリマー、ナイロン
・ガラス、石及び鉱物セラミックス、磁器
・チタン、アルミニウム、及び全ての金属合金を含む全ての金属
・骨構造物のような動物部材
・軽木材、堅木、ペルナンブコ材、凝集化木材、及び剛性比／たわみ性比／質量比に関して特定の特性を有する他の木材
・果物などで見いだされる特定の植物構造物
・全ての有機及び非有機繊維など
・適合樹脂又は膠と共通して使用されるホウ素繊維
・適合樹脂又は膠と共通して使用されるアラミド繊維
・適合樹脂又は膠と共通して使用されるケブラー繊維
・適合樹脂又は膠と共通して使用される炭素繊維
・適合樹脂又は膠と共通して使用されるセラミック繊維
・適合樹脂又は膠と共通して使用されるガラス繊維
・適合樹脂又は膠と共通して使用される玄武岩繊維
・適合樹脂又は膠と共通して使用される植物起源の天然繊維
・葉、木材、果物、竹化粧張り、樹皮のような植物の部材
・絹、くもの巣などの動物起源の天然繊維
・骨、皮膚、ガット、象牙質、シェル部材などの動物起源の部材
・鉱物起源の構造物
・ネック２表面コーティングのために使用され得る他の繊維は：
リネン、麻、サイザル麻、ジュート、フラックス、竹、トウモロコシ、茎、エスパルト、パピルス、ヨシ（ヨシわら草）、ケナフ、ラミー、ローゼル、甘蔗糖繊維、ビンロウジ繊維、籾殻、小麦、大麦、オート麦、ライ麦、アブラヤシ空の果房、コイア、ホテイアオイ、チドメグサ属などの丸い葉の草、カポック、紙、クワ、ラフィア、バナナ繊維、パインナップル葉繊維、エレファントグラス、綿リント、エニシダ、イラクサ、へネケン、パルフ、穀類藁、マニラ麻、種々の源からのビスコース及びその混合物である。
【０１１４】
繊維は三次元の全ての方向に適用され得る。
上述の樹脂又は接着剤は合成、ポリマー又は有機起源のものであり得る。
【０１１５】
ネック２は、部分的に又は指板３に接着される部分を含む全ての見える側に化粧張りされ得る。
【０１１６】
化粧張りはコア、強化されたコア又は中空プロファイルの見かけの表面と組み合わすことができる。
【０１１７】
ネック２／ネックヒール２３
コア３０／３３／強化されたコア３０／３３又は中空プロファイルは、糸蔵２０、スクロール*２２、ネック２、ネックヒール２３、上方ブロック１１、上方サドル１０、及び指板３、又はこれらの幾つかの選択したものの最終的な形状及び表面を既に有することができる。それは、上述の材料の一つ、又はそれらの複合体で作ることができる。
【０１１８】
このコア３０／３３、強化されたコア３０／３３又は中空プロファイルは、糸蔵２０／スクロール*２２、ネック２、ネックヒール２３、上方ブロック１１、上方サドル１０、及び指板３、又はこれらの幾つかの選択したものを含む最終的なものに近い形状も有することができる。
この場合における化粧張りとして、上述の他の材料の中で、凝集化された、焼結された、ガラス化された、又はフリット化された木材又はセラミックコーティングが使用できる。
【０１１９】
このコア３０／３３、強化されたコア３０／３３又は中空プロファイルは、糸蔵２０、スクロール*２２、ネック２、ネックヒール２３、上方ブロック１１、上方サドル１０、及び指板３、又はこれらの幾つかの選択したものを含む最終的なものとは異なる形状も有することができる。
表面コーティングは、上述の材料で又はそれらの異なるアセンブリからできた一つ又はそれ以上の中空片から成ることができる。
【０１２０】
一つ又は複数のこれらの中空ピースは、糸蔵２０、スクロール*２２、ネック２、ネックヒール２３、上方ブロック１１、上方サドル１０、及び指板３又はこれらの幾つかの選択したものを既に含むことができる。
もし、ネックコーティグが木材の化粧張りによって達成されるならば、一つの解決策は、ネック２の円筒状部分のみが、木材の薄いシートを用いて化粧張りされ、そして糸蔵２０、スクロール*２２、ネック２、並びにネックヒール２３が、完全に木材で製造され、そしてコア３０／３３、強化されたコア３０／３３又は中空プロファイルに接着された調節されたピースを用いてグラフトされるであろうことである。
【０１２１】
全ての場合、（弓で引かれる楽器上のみ）糸蔵２０、スクロール２２も、音又は演奏施設の理由からその重量を軽くするために、中空にできる。
【０１２２】
コア３０／３３、強化されたコア３０／３３又は中空プロファイルを化粧張りするために、以下に点で修正される特別に処理された木材が使用できる：
・色
・耐摩耗性及び耐汗性
・触感
・剛性比／たわみ性比
・共鳴伝達性
において修正され、
これらの修正は：
・演奏施設
・ネックの外観
・指板との接触
も関係し得る。
【０１２３】
ネック２の化粧張りのために、上述の全ての材料は単独で又はそれらの他の物との組み合わせにおいて使用できる。
【０１２４】
ネック２構築の異なる構造は、上方ブロック１１、指板３、上方サドル１０、糸蔵２０、ネックヒール２３、スクロール２２（バイオリン類の楽器）、及び上方ブロック１１、又はこれらの幾つかの選択したものを含むことができる。
バイオリン類の楽器に対して、ネックヒール２３は伝統的にネック２の部分である。
それは例外的に、製造の理由でネック２から分離できる。
【０１２５】
新しいネックヒール２３を如何にして実現するか
目的：ネックヒール
本発明の別の実施態様において：
上述の材料及び組立変更例を用いて、楽器の弦の張力及び共鳴登録（バイオリン、ビオラ、チェロ、ダブルベース）に依存して、全ての三次元において、特別に適応された共鳴伝達品質、及び特別に適応された剛性比／たわみ性比を備えたネックヒール２３；好ましくは、ネック２のコア／強化されたコア又は中空プロファイルを用いて一つのピースで作られたもの。
【０１２６】
新しいテールピース５を如何にして実現するか
目的：テールピース
本発明の別の実施態様において：
上述の材料の一つ又は組合せで作られたコア／強化されたコア又は中空プロファイルを有するサンドイッチ又は中空プロファイルの構築におけるテールピース。
三次元の共鳴伝達、三次元の剛性比／たわみ性比、並びに共鳴伝達変更及び表面コーティングの目的を含み、構築原理は、上述の指板３に対するものと同じである。
特定の変更及び強化は、弦１及びテールピースガット６を保持するために作られた穿孔を補償するべくなされ得る。
これらの穿孔は、これらの弦１及びテールピースガット６のための特定の保持構造の創出によっても避けられ得る。
これらの保持構造は、共鳴伝達変更目的の部分となるために、テールピース５の特定の場所中に置かれ得る。
【０１２７】
新しいテールピースガット６を如何にして実現するか
目的：テールピースガット
本発明の別の実施態様において：
テールピースガット６は、テールピース５と強固に連結され、そして剛直で：
・チタン、アルミニウム、及び全ての金属合金を含む全ての金属
・全ての有機及び非有機繊維など
・適合樹脂又は膠と共通して使用されるホウ素繊維
・適合樹脂又は膠と共通して使用されるアラミド繊維
・適合樹脂又は膠と共通して使用されるケブラー繊維
・適合樹脂又は膠と共通して使用される炭素繊維
・適合樹脂又は膠と共通して使用されるセラミック繊維
・適合樹脂又は膠と共通して使用されるガラス繊維
・適合樹脂又は膠と共通して使用される玄武岩繊維
・適合樹脂又は膠と共通して使用される植物起源の天然繊維
・絹、くものウェブなどのような動物起源の天然繊維
・適合樹脂又は膠と共通して使用される動物ガット
・全ての種類のフィラメント
で作られる。
【０１２８】
繊維は三次元の全ての方向に適用され得る。
上述の樹脂又は接着剤は合成、ポリマー又は有機起源のものであり得る。
【０１２９】
新しい上方サドル１０を如何にして実現するか
目的：上方サドル１０及び下方サドル１３
本発明の別の実施態様において：
上述の材料の一つ又は組合せ、及び構築原理で作られたコア／強化されたコア又は中空プロファイルを有するサンドイッチ又は中空プロファイルの構築における上方サドル１０及び下方サドル１３。
上方サドル１０は、上述のように中空領域又は弾性材料の挿入物によってスペースを開けられて、一つの部分において、又は１、２、３、４及びそれより多くの独立した部分に分割されて作ることができる。
上方サドル１０は、指板３の一体部分及び／又は化粧張りの一体部分であってよい。
化粧張りに対する注（fussnote）：１〜２０ミリメータ
【０１３０】
新しい上方ブロック１１を如何にして実現するか（図１、１７〜１８）
目的：上方ブロック
本発明の別の実施態様において：
適応された剛性、重量及び共鳴伝達を修正した上述（指板３参照）の通りのサンドイッチ構築物又は中空プロファイルにおいて作られた上方ブロック。  振動をより効率的に伝達するために、又はネック／指板２／３構造によって伝達された捩じりをより柔らかく、共鳴ボディ９の響板１９、後部２４及びリブ構造１５に広げるために、上方ブロック１１の形は、前（響板１９）から見て、例えば、Ｖ又はＷの形に、及び／又は側部（リブ１５）から見てＣ、Ｌの形に変えられ得る。これらの形は、各個別の楽器に対して特別に適応されるために、非対称、及び多様な形状のものであり得る。
【０１３１】
新しい下方ブロック１１’を如何にして実現するか
目的：下方ブロック
本発明の別の実施態様において：
適応された剛性、重量及び共鳴伝達を修正した上述（指板３参照）の通りのサンドイッチ構築物又は中空プロファイルにおいて作られた下方ブロック１１’。振動をより効率的に伝達するために、及び／又は下方ペグ７（弓で弾かれる弦楽器）によって伝達された捩じりをより柔らかく、共鳴ボディ９の響板１９、後部２４及びリブ構造１５に広げるために、下方ブロック１１’の形は、前（響板１９）から見て、例えば、Ｖ又はＷの形に、及び／又は側部（リブ１５）から見てＣ、Ｌの形に変えられ得る。これらの形は、各個別の楽器に対して特別に適応されるために、非対称、及び多様な形状のものであり得る。
下方ペグ７を保持するための特定の強化された穴が、ある場合、要求され得る。
【０１３２】
バスバー、サウンドバー２５を如何にして実現するか（図１（ａ））
目的：バスバー、サウンドバー
本発明の別の実施態様において：
振動をより効率的に伝達するために、及び／又は駒８、響板１９、上方及び下方ブロック１１を介して伝達された弦の張力による捩じりをより効率的に広げるために、三次元全てにおいて、適応された剛性、重量及び共鳴伝達を修正した上述（指板３参照）の通りのサンドイッチ構築物又は中空プロファイルにおいて作られたバスバー又はサウンドバー。
バス又はサウンドバーは、適応される樹脂又は接着剤と共通して使用される、上述の合成又は天然の繊維によっても強化できる。
それらの構築に対して通常使用される木材、又は特別に軽量の木材は、二つ又はそれ以上の部分に切断され、そして一緒に、但し挿入された強化材料部分と共に、再び接着できる。
強化材料は殆ど、（コアサンドイッチ構築物）の見える側に部分的に又は全体的に適用されるであろう。それはバス又はサウンドバー構造の三次元全てにおいて一体化された部分であってよい。それはまた部分的に又は全体的に最終的なコーティング表面の部分であってよい。
【０１３３】
サウンドポスト、サウンドペグ１７を如何にして実現するか
目的：サウンドポスト、サウンドペグ
本発明の別の実施態様において：
適応された剛性、重量及び共鳴伝達を修正した、上述（指板３参照）の材料のサンドイッチ構築物及び／又は中空プロファイル及び／又は単純な選択において作られたサウンドポスト及びサウンドペグ１６。
【０１３４】
下方ペグ７を如何にして実現するか
目的：下方ペグ
本発明の別の実施態様において：
上述の材料の一つ又は組合せ及び構築原理で作られたコア／強化されたコア又は中空プロファイルを備えた、軽量材料で作られた又はサンドイッチ又は中空プロファイルの構築における下方ペグ７。
新しく考えられたその非対称形は、下方ブロック１１’内に挿入されるべき円錐状又は円筒状の部分とは異なる軸内でテールガット６保持部分を製造することによって達成できる。
下方ブロック１１’の穴中に、この非対称的な下方ペグ７の必要な把握を与えるために、特定の形状を備えた、円筒状又は円錐状の雄部分（下方ペグ７）及び雌部分（下方ブロック１１中の糸巻き穴）、並びに特定の摩擦材料が使用され得る。
チェロ及びダブルバスに関しては、下方ペグ７はテールスパイクを保持する。
【０１３５】
用途の図を参照することによって要約すると：
図１０〜１８は、非制限的に考慮されるべき基本的原型又は例示的構築原理の表現である。指板３／ネック２構造は、異なるコア／強化されたコア及び／又は中空プロファイル原型を用いて実現でき得る：
・コア３０／３３／強化されたコア３０／３３’及び／又は中空プロファイル３１は種々の形状のものであり得る。
・それらは、全ての三次元において異なる分離された部品に分割できる。
・それらは、それらの形状、密度及び材料適用に関して非対称的であってよい。
・それらは、他の中空プロファイル３１又はコア３０／３３／強化されたコア３０／３３構造と組み合わすことができる。
・コア３０／３３／強化されたコア３０／３３構造又は中空プロファイル３１は、全ての側部上で、部分的に積層できる（図１１及び１２を参照）か又は全く積層されない。
・積層は、強化構造の部分でもあってよい。
・積層は、上に掲載されたような異なる材料で作ることができる。
・積層は、糸蔵２０／スクロール２２、ネック２、ネックヒール２３、上方ブロック１１、上方サドル１０、及び指板３、又はこれらの幾つかの選択したものを含む一つの単一複合ピースを製造するために、これらの異なる材料の組合せを使用することによって作ることができる。  
・糸蔵２０／スクロール２２、ネック２、ネックヒール２３、上方ブロック１１、上方サドル１０、及び指板３、又はこれらの幾つかの選択したものも、コア／強化されたコアの一つ又はそれ以上のピースを用いて一体で作ることができる。
・一つ又はそれ以上の中空プロファイル３１又は両者（コア３０／３３／強化されたコア３０／３３）の組合せ
・一つ又はそれ以上の積層材料及びコーティング
【０１３６】
図１０は、四つの側部上で、一つ又はそれ以上の上述の材料を用いて化粧張りされた、一つ又はそれ以上の上述の材料で作られた、コア３０を用いてサンドイッチ構築物された、指板３を示す。
【０１３７】
図１１は、一つ又はそれ以上の上述の材料を用いて作られた、そして四つの側部（３２）上で、一つ又はそれ以上の上述の材料を用いて強化されたコア３０を用いてサンドイッチ構築物された、指板３を示す；四つの側部上で、一つ又はそれ以上の上述の材料を用いて化粧張りされる。
【０１３８】
図１２は、一つ又はそれ以上の上述の材料で作られた、そして二つの側部（頂部及び底部３２）上で、一つ又はそれ以上の上述の材料を用いて強化されたコア３０を用いてサンドイッチ構築物された、指板３を示す；四つの側部上で、一つ又はそれ以上の上述の材料を用いて化粧張りされる。
【０１３９】
図１３は、四つの側部上で、一つ又はそれ以上の上述の材料を用いて作られた中空プロファイルコア３１を用いた指板３を示す：四つの側部上で、一つ又はそれ以上の上述の材料を用いて化粧張りされる。
【０１４０】
図１４は、四つの側部上で、一つ又はそれ以上の上述の材料を用いて化粧張りされた、二つ又は複数に分かれた設計（頂部及び底部、及び／又は左及び右、及び／又はピーク及び基底又は非対称設計）として、一つ又はそれ以上の上述の強化材料３２で作られた中空プロファイルコア３１としてのコア／強化されたコアを用いた指板３を示す。
上述の通り、指板３の構築原理は、ネック２、タイルピース５などのような他の前述の部品に応用され得る。
【０１４１】
図１５は、一つ又はそれ以上の上述の材料を用いて全ての見える側上で積層された、一つ又はそれ以上の上述の材料で作られ、そして一つ又はそれ以上の上述の材料を用いて強化された単一コア３０を用いてサンドイッチ構築物された、指板３／ネック２構造の側面図を示す。
【０１４２】
図１６は、一つ又はそれ以上の上述の材料を用いて全ての見える側上で積層された、一つ又はそれ以上の上述の材料で作られ、そして一つ又はそれ以上の上述の材料を用いて強化されたコア３０／３３を用いて、二つに分かれてサンドイッチ構築物された、指板３／ネック２構造の側面図を示す。
【０１４３】
図１７は、一つ又はそれ以上の上述の材料を用いて全ての見える側上で積層された、一つ又はそれ以上の上述の材料で作られ、そして一つ又はそれ以上の上述の材料を用いて強化されたコア３３を用いて、サンドイッチ構築物された、ネック２構造の断面図を示す。
【０１４４】
図１８は、一つ又はそれ以上の上述の材料を用いて全ての見える側上で積層された、一つ又はそれ以上の上述の材料で作られ、そして一つ又はそれ以上の上述の材料３４を用いて強化されたコア３３を用いて、サンドイッチ構築物された、ネック２構造の断面図を示す。
薄い黒い線３４：ネックのヒールの強化
【０１４５】
本発明において使用され得る他の強化繊維は：
ポリアミド
メタアミド
パラアミド
オルトアミド
ナイロン
強化ナイロン
ポリアミド
強化ポリアミド
ポリウレタン
ポリエステル
ポリ−パラナフタレン−テレフタルアミド（ケブラー）：
上記繊維の如何なる好適な組合せ
も含む。
【０１４６】
強化は：
金属糸、又は、
金属ワイヤ、又は、
金属繊維紡績糸、又は、
編まれた、撚られた又は紡がれた、繊維又はフィラメント
も含み得る。
【０１４７】
上に与えられた例は説明目的に対するのみであり、制限するように考えられるべきではない。他の同等の手段及び材料は、本発明の範囲及び精神の内にあると考えられ得る。また、上述の異なる実施態様は、希望通りに同一楽器において一緒に組み合され得る。
【図１７】
2014504742.tif 000003
【図１８】
2014504742.tif 000004
【図１ａ】
2014504742.tif 000005
【図１ｂ】
2014504742.tif 000006
【図２】
2014504742.tif 000007
【図３】
2014504742.tif 000008
【図４】
2014504742.tif 000009
【図５】
2014504742.tif 000010
【図６】
2014504742.tif 000011
【図７】
2014504742.tif 000012
【図８】
2014504742.tif 000013
【図９】
2014504742.tif 000014
【図１０】
2014504742.tif 000015
【図１１】
2014504742.tif 000016
【図１２】
2014504742.tif 000017
【図１３】
2014504742.tif 000018
【図１４】
2014504742.tif 000019
【図１５】
2014504742.tif 000020
【図１６】
2014504742.tif 000021
【国際調査報告】
2014504742.tif 000022
2014504742.tif 000023
2014504742.tif 000024